(57)【特許請求の範囲】
【請求項１】
外部機器と近距離無線通信を行う電子時計において、
時刻情報等の情報を表示する表示手段と、
アンテナを介して前記外部機器と近距離無線通信を行う通信手段と、
前記電子時計本体の傾く動きを検出する傾斜検出手段と、
前記電子時計本体の加速する動きを検出する加速度検出手段と、
前記傾斜検出手段および前記加速度検出手段でそれぞれ前記電子時計本体の動きが検出されなかった場合に前記通信手段の電源をオフにする電源切断手段と、
を備えていることを特徴とする電子時計。
【請求項２】
前記加速度検出手段は、
前記傾斜検出手段により所定期間内に前記電子時計本体の傾く動きが検出されない場合に、前記加速度検出手段による前記電子時計本体の加速する動きの検出を実行することを特徴とする請求項１記載の電子時計。
【請求項３】
前記電源切断手段は、
前記通信手段の電源をオフするとともに、前記表示手段の表示をオフすることを特徴とする請求項１又は２に記載の電子時計。
【請求項４】
前記電源切断手段は、
前記傾斜検出手段により所定期間内に前記電子時計本体の傾く動きが検出されなかった場合に、前記表示手段の表示をオフすることを特徴とする請求項１〜３のいずれか一項に記載の電子時計。
【請求項５】
前記加速度検出手段は、
加速度センサを含み、前記加速度センサが計測状態になっていない場合に、前記加速度センサの電源をオフする加速度センサ電源制御手段をさらに備えていることを特徴とする請求項１〜４のいずれか一項に記載の電子時計。
【請求項６】
前記傾斜検出手段は、前記電子時計の表示面の縦軸方向について前記電子時計本体の傾く動きを検出するとともに、前記加速度検出手段は、前記電子時計の表示面に直交する軸方向の前記電子時計本体の加速する動きを検出することを特徴とする請求項１〜５のいずれか一項に記載の電子時計。
【発明の詳細な説明】
【技術分野】
【０００１】
この発明は、外部機器との間で近距離無線通信を行う電子時計に関する。
【背景技術】
【０００２】
ブルートゥース（Bluetooth；登録商標）などの近距離無線通信技術における低消費電力化の進展に伴い、電子時計と外部機器としてスマートフォン等の携帯電話機との間で原則、常時通信接続を行い、両者で各種通信を行うような使用方法が可能になりつつある。通信例としては、スマートフォンの時刻情報を電子時計に送信したり、電話やメールの着信を電子時計に知らせ、鳴っているときに電子時計を操作すればスマートフォンの着信音やバイブレーションを停止させるといったことが考えられている。
【０００３】
近距離無線通信技術を用いてスマートフォン等の携帯電話と原則常時接続を指向する電子時計の場合、内蔵されるボタン一次電池を搭載して、通常の腕時計並の数年の電池寿命を有することが求められている。スマートフォン等と、たとえばブルートゥースにて原則常時接続するに際しては、送受信を司るブルートゥースモジュールの動作電流が電池寿命に大きく影響を及ぼす。したがって、使用者に対する実質的な常時接続性を確保する一方で電池寿命を延ばすためには、ブルートゥースモジュールの電源をこまめにＯＮ／ＯＦＦさせて、ブルートゥースモジュールの積算通電時間を極力少なくする必要がある。
【０００４】
特許文献１には、加速度、傾斜センサを備えた電子式歩数計において、傾斜センサにより歩数計が傾斜していると判断されたときに加速度センサにより歩数を計数する様に構成されている電子式歩数計が開示されている。
【先行技術文献】
【特許文献】
【０００５】
【特許文献１】特開２００７−１７８３０３号広報
【発明の概要】
【発明が解決しようとする課題】
【０００６】
しかしながら、時計装着時における使用者の活動状況は、歩く、走るという動作以外にも、様々な動作がある。したがって、会議中や電車内での腕組や、高速道路の車運転中などのような静止に近い動作に対しては十分な検知ができずに、ブルートゥースモジュールの電源を切る機能が働いてしまうと、以下のような課題が存在する。
すなわち、従来の電子時計の使用態様は、おもに、必要な時に使用者が時計の時刻を見るといった、間歇的な時計機能の利用であった。よって、必要があれば、使用者が例えば腕を振る等の動作をすることに起因させて、時刻表示のオフを解除し、時刻表示を復活させればよかった。しかし、常時接続指向の場合、ブルートゥースモジュールの電源が切れていると、使用者が気づいて例えば腕を振ってブルートゥースモジュール電源をオンにしたとしても、それまでの間は、スマートフォンから着信情報があっても時計は着信出来ず、着信情報を受け取れないという課題が存在してしまう。したがって、スマートフォンとブルートゥースにて原則常時接続するに際しては、より一層緻密な動作検出・節電技術が必要であった。
【０００７】
この発明の目的は、外部機器としてスマートフォン等の携帯電話機とブルートゥースなどの近距離無線通信を行う際に比較的大きな電力を消費する近距離無線モジュールの電源を、使用者の近距離無線通信の使用意図に反して切断することの少ない、かつ、必要のない場合には、より確実に切断することのできる電子時計を提供することにある。
【課題を解決するための手段】
【０００８】
本発明は、上記目的を達成するため、
外部機器と近距離無線通信を行う電子時計において、
時刻情報等の情報を表示する表示手段と、
アンテナを介して前記外部機器と近距離無線通信を行う通信手段と、
前記電子時計本体の傾く動きを検出する傾斜検出手段と、
前記電子時計本体の加速する動きを検出する加速度検出手段と、
前記傾斜検出手段および前記加速度検出手段でそれぞれ前記電子時計本体の動きが検出されなかった場合に前記通信手段の電源をオフにする電源切断手段と、
を備えていることを特徴とする電子時計である。
【発明の効果】
【０００９】
本発明に従うと、外部機器としてスマートフォン等の携帯電話機とブルートゥースなどの近距離無線通信をする際に比較的大きな電力を消費する近距離無線モジュールの電源切断をより効率的に行うことができる電子時計を提供することができる。
【図面の簡単な説明】
【００１０】
【図１】本発明の実施形態に係る電子時計４０の内部構成を示すブロック図である。
【図２】本発明の実施形態に係る電子時計４０とリンクされるスマートフォン１０の内部構成を示すブロック図である。
【図３】本発明の実施形態に係る電子時計４０がスマートフォン１０と無線リンクされている様子を示す図である。
【図４】電子時計４０を使用者が腕に装着している様子を示す図である。
【図５】使用者の腕に装着された状態で示した本実施形態に係る電子時計４０に内蔵されている傾斜センサ６０と加速度センサ６２を説明するための図である。
【図６】「パワーセービング処理」の制御手順を示すフローチャートである。
【図７】電子時計４０が、パワーセーブモードに入っている場合における、「パワーセービング解除処理」の手順を示すフローチャートである。
【発明を実施するための形態】
【００１１】
以下、本発明の実施の形態を図面に基づいて説明する。
【００１２】
図１は、本発明の実施形態に係る電子時計４０の内部構成を示すブロック図である。図２は、本発明の実施形態に係る電子時計４０と外部機器としてリンクされるスマートフォン１０の内部構成を示すブロック図である。
【００１３】
電子時計４０は、図１に示すように、機器の全体的な制御を行うＣＰＵ（中央演算処理装置）４１と、ＣＰＵ４１が実行する制御プログラムや制御データを格納したＲＯＭ（Read Only Memory）４２と、ＣＰＵ４１に作業用のメモリ領域を提供するＲＡＭ（Random Access Memory）４３と、外部から操作可能で、モードを切換用のスイッチ及び外部から操作可能で、外部から時刻データを設定するための複数のスイッチを有するスイッチ部４４と、現在時刻データを計数する時刻計数手段としての計時回路４５と、電子時計４０本体の正面部に設けられ時刻表示や種々の機能表示を行う表示手段としてのＬＣＤ（液晶表示部）４６と、ＬＣＤ４６を駆動する液晶ドライバ４７と、アンテナＡＮ４１１を介して近距離無線通信を行う通信手段としてのブルートゥースモジュール４８（近距離無線モジュール）と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに通知を行う振動モータ５０およびそのドライバ５１と、発光点滅等によりユーザに通知を行ったり文字盤を照らしたりする発光ダイオード（ＬＥＤ）５２およびそのドライバ５３と、ブザー音によりユーザに通知を行うピエゾ素子５４およびそのドライバ５５と、電子時計の傾きを検出する傾斜センサ６０およびその検出回路６１と、電子時計４０に掛かる加速度を検出する加速度センサ６２およびその検出回路６３と、各部に動作電圧を供給する電源部６４と電源部６４に収納される電池６４ａと、ＣＰＵ４１と各部との間で信号をやり取りするバス５８等を備えている。
【００１４】
なお、本実施形態において、ブルートゥースモジュールと称する部分は、ブルートゥースＲＦチップ、ブルートゥース送受信部などと呼ばれることもある。一般的に、モジュールと呼ぶ場合には、制御するアプリケーション又はＯＳも一括して含んでいる概念であることが多く、チップと呼ぶ場合には、チップを制御するアプリケーション又はＯＳが別のところにある場合をいうことが多い。本実施形態では、ブルートゥースにおける送信や受信を司る機能であって電力の消費量の多い部分を特定する用語として「ブルートゥースモジュール」いう用語を用いる。その意味において、ブルートゥースＲＦチップ、ブルートゥース送受信部、無線受信部という用語も「ブルートゥースモジュール」と同義である。
【００１５】
電子時計４０のＲＯＭ４２には、制御プログラムとして、計時回路４５の計時データに従って時刻表示を行ったり設定時刻にアラーム動作を行ったりする基本時計モード処理、スイッチ部４４の入力に応じて動作モードを変更したり各種設定を行う操作入力処理、ユーザによりペアリング操作が行われた場合にペアリング処理および、スマートフォン１０との各種連携動作を行う連携処理の各プログラムが格納されている。
【００１６】
スマートフォン１０は、図２に示すように、機器の全体的な制御を行うＣＰＵ１１と、ＣＰＵ１１が実行する制御プログラムや制御データを格納したＲＯＭ１２と、ＣＰＵ１１に作業用のメモリ空間を提供するＲＡＭ１３と、複数の操作キーを有する操作部１４と、種々の機能表示を行うＬＣＤ（液晶表示部）１５およびその表示ドライバ１６と、通話時の音声入出力を行うスピーカ１７およびマイク１８と、入出力される音声信号とデジタルデータとの相互変換を行うコーデック１９と、アンテナＡＮ１１１を介して基地局との間で無線信号の送受信を行うＲＦ送受信回路２０と、コーデック１９から入出力される通話音声のデジタルデータや種々の送受信データの変調および復調処理を行う通信回路２１と、アンテナＡＮ１１２を介して近距離無線通信を行うブルートゥースモジュール２２と、ブルートゥースモジュール２２を介して送受信されるデータに対してシリアル／パラレル変換等のデータ処理を行うＵＡＲＴ２３と、振動により着信を知らせる振動モータ２４およびそのドライバ２５と、現在時刻を計数する内蔵時計２７と、ＣＰＵ１１と各部との間で信号をやりとりするバス２８等を備えている。
【００１７】
次に、上記のように構成された電子時計４０の動作について説明する。
【００１８】
図３は、本発明に係る実施形態に係る電子時計４０がスマートフォン１０と無線リンクされている様子を示す図である。図４は、使用者が電子時計４０を腕に装着している様子を示す図である。図５は、使用者の腕に装着された状態で示した本実施形態に係る電子時計４０に内蔵されている傾斜センサ６０と加速度センサ６２を説明するための図である。
【００１９】
図３のように、電子時計４０は、ブルートゥースでの近距離無線通信機能を有し、スマートフォン１０とデータ通信を行うことが可能になっている。電子時計のブルートゥースモジュール４８は、スマートフォン１０のブルートゥースモジュール２２と通信接続を行ってデータ通信を行うものである。ブルートゥースモジュール４８は、無線通信を送受信するためにＲＦチップ（ＲＦ回路）などのアナログ回路を有し、この部分の動作電流により比較的大きな電力を消費する。ブルートゥースモジュール４８は、予めペアリングと呼ばれる通信設定処理を行うことで、互いのデバイス情報や認証鍵のデータが無線信号により通信相手と交換され、その後、この通信設定処理を毎回行うことなく、この通信相手と自動的に或いは半自動的に通信接続されたり解除されたりするようになっている。例えば、電子時計４０とスマートフォン１０とが電波が届かない範囲に離れれば通信接続が解除され、電波が届く範囲に近づけば自動的に通信接続されたり、或いは接続の操作により半自動的に通信接続されたりする。このように、近距離にスマートフォン１０が存在すると、常にリンクしているのが電子時計４０の特徴である。
【００２０】
また、使用者は、電子時計４０のスイッチ操作によってブルートゥース機能をオン、オフすることができる。スイッチ操作でブルートゥース機能をオフする時は、接続は切れてもブルートゥースモジュールの電源は切れない。また、時計表示は消えない。
【００２１】
電子時計４０には、パワーセービング機能が備えられている。パワーセービング機能とは、パワーセービング機能の設定をオンにした状態で下記に詳述する条件になったときに、電子時計４０のブルートゥースモジュール４８の電源を切り、時計の表示を消すものである。なお、時計表示が消えても、時計の計時等の機能は動作している。ブルートゥースモジュール４８の電源を切ると、僅かなリーク電流以外消費しない。一方、パワーセービング機能をオフに設定すると、電子時計４０はパワーセーブ状態にならず、ブルートゥースモジュール４８の電源は２４時間切れない。
【００２２】
次に、電子時計４０に内蔵されている傾斜センサ６０、加速度センサ６２の動作について説明する。図４のように、使用者は電子時計４０を腕１に装着しており、図示しないスマートフォン１０が、たとえば使用者の鞄の中に収納されていると仮定する。電子時計４０を装着している使用者は様々な動作をするのであるが、電子時計４０の表示を見ようとしたり、スイッチ部４４を操作したりする際に、図４に示すような、ほぼ腕の軸を中心とする回転運動を行うことが多い。この回転運動は、時計表示における６時−１２時方向の動作である。以下、電子時計４０の表示面の６時−１２時方向を６Ｈ方向と称する。また、電子時計４０の表示面の６Ｈ方向を、縦軸方向、それと直交する軸の方向を横軸方向と称する。
【００２３】
このような事情を考慮して本実施形態では、例えば、６Ｈ方向での傾く動きを検知する傾斜センサ６０を図５のように、電子時計４０本体に内蔵する。傾斜センサ６０は、例えば、６Ｈ方向という１軸方向（縦軸方向）のみの傾斜を検出する。
【００２４】
しかしながら、傾斜センサ６０のみでは、会議中や電車内での腕組や、高速道路の車運転中などのような静止に近い動作に対しては微妙な動きを検知できずに、パワーセービング機能が働いてしまう。そこで、加速度センサ６２を図５に示すように、併用する。加速度センサ６２の検出方向は、例えば、図４、図５に示すように、傾斜センサ６０の傾斜検出方向と直交する方向のＺ軸方向である、電子時計４０のガラス（表示面）と垂直方向（Ｚ軸方向）とする。そして、加速度センサ６２は、２軸検出型では消費電力が１軸検出型の概ね倍になってしまうので例えば、１軸型を用いる。
【００２５】
さらに、単純に加速度センサ６２を長時間稼働させると電池６４ａの電力消費が大きくなるので、加速度センサ６２は、加速度を検出する時以外は電池６４ａからの電源供給をオフしておく。
【００２６】
図６は、「パワーセービング処理」の制御手順を示すフローチャートである。以下、電子時計４０による「パワーセービング処理」動作について図６のフローチャートを参照して説明する。
【００２７】
「パワーセービング処理」が開始されると、ＣＰＵ４１は先ず、スリープカウンタのカウンタ変数ｉをｉ＝０に設定する（ステップＳ１）。次にＣＰＵ４１は、１０分キャリーか否か確認する。すなわち、毎時０分、１０分、２０分、・・・５０分であるか否かを判別する（ステップＳ２）。現在が１０分キャリーでなければ「ＮＯ」へ分岐して、ステップＳ２の処理を繰り返す。現在が１０分キャリーであれば、「ＹＥＳ」へ分岐してステップＳ３に移行する。ステップＳ３ではＣＰＵ４１は、傾斜センサ６０の出力がＯＮになったか否かを判別する。傾斜センサ６０の出力が検出されないと判断されるとＣＰＵ４１は「ＮＯ」へ分岐してスリープカウンタのカウンタ変数を１増加させる（ｉ＝１）（ステップＳ４）。次に、ステップＳ５に移行する。ステップＳ３で傾斜センサの出力がＯＮになったと判断されると、ＣＰＵ４１は、「ＹＥＳ」へ分岐して、「パワーセービング処理」の初期、ステップＳ１に戻る。
【００２８】
ステップＳ５において、ＣＰＵ４１は、スリープカウンタのカウンタ変数がｉ＝６であるか否か確認する。ｉ＝６でなければ、「ＮＯ」へ分岐して、ステップＳ２に戻る。スリープカウンタのカウンタ変数がｉ＝６であれば、「ＹＥＳ」へ分岐して、ステップＳ６に移行する。ここで、スリープカウンタがｉ＝６であるということは、１０分毎の計測にて、傾斜センサのオンを６回連続して検出しなかったことを意味する。ここで、ＣＰＵ４１、傾斜センサ６０、検出回路６１、およびステップＳ１〜ステップＳ５が傾斜検出手段である。
【００２９】
ステップＳ６では、ＣＰＵ４１は、加速度センサ６２の電源をオンし、加速度センサ６２により加速する動きが検出されるか否か確認する（ステップＳ７）。加速する動きが検出されなかったら、「ＮＯ」に分岐して、加速度センサ６２の電源をオフにし（ステップＳ９）、ブルートゥースモジュール４８の電源を切断するとともに、時計表示をオフする（ステップＳ１０）。そして、パワーセービング処理を終了する。一方、ステップＳ７にて、加速度が検出されたら、加速度センサの６２電源をオフにして（ステップＳ８）、「パワーセービング処理」の初期、ステップＳ１に戻る。ここで、ＣＰＵ４１、加速度センサ６２、検出回路６３、およびステップＳ７が加速度検出手段である。また、ＣＰＵ４１およびステップＳ１０が電源切断手段である。また、ＣＰＵ４１、ステップＳ６、ステップＳ８、ステップＳ９が加速度センサ電源制御手段である。
【００３０】
以上の通り、ＣＰＵ４１は傾斜センサ６０を用いて１０分毎に６回測定して６回連続して時計本体の傾く動きが検出されなかった場合に、加速度センサ６２を電源オンにして、時計本体の加速する動きを検出し、検出されない場合、ブルートゥースモジュール４８の電源を切断するとともに、時計表示をオフする。このようにすることで、効率的なパワーセービング機能を実現することができる。ここで、傾斜センサ６０を用いた１０分毎の６回測定を「所定期間内の時計本体の傾き検出」と呼ぶ。また、１０分毎の６回測定としたが、１０分毎の１２回測定や５分毎の６回測定とすることも可能である。
【００３１】
なお、パワーセービング機能として、ステップＳ１０において、ブルートゥースモジュールの電源を切るタイミングと、時計表示をオフするタイミングを同時としているが、同時に限定する必要はない。たとえば、傾斜センサ６０が所定回数傾斜を検出しなかった時点で（ステップＳ５で「ＹＥＳ」へ分岐した時点で）電源切断手段が時計表示をオフし、次に、加速度センサが加速度を検出しなかった場合に、ステップＳ１０で電源切断手段がブルートゥースモジュールの電源を切っても良い。
【００３２】
図７は、電子時計４０が、パワーセーブモードに入っている場合における、「パワーセービング解除処理」の手順を示すフローチャートである。
【００３３】
「パワーセービング処理」が開始されると、ＣＰＵ４１は先ず、ブルートゥースモジュール４８の電源がオフ状態であること、時計表示がオフ状態であること確認する（ステップＳ２１）。次に、ＣＰＵ４１は、傾斜センサ６０による時計本体の傾く動き又は使用者によるキー入力（スイッチ部４４の入力）が検出されたか判別する（ステップＳ２２）。ステップＳ２２にて、傾斜センサ６０による時計本体の動きおよび使用者によるキー入力のいずれも検出されなかったと判別されたときは、「ＮＯ」へ分岐して、ステップＳ２１に戻る。
【００３４】
一方、ステップＳ２２にて、いずれかが検出されたと判断されれば、ステップＳ２２で「ＹＥＳ」へ分岐して、ＣＰＵ４１は、ブルートゥースモジュール４８の電源を投入し、時計表示もオンにする（ステップＳ２３）。続いてＣＰＵ４１はスリープカウンタのカウンタ変数ｉをｉ＝０に設定する（ステップＳ２４）。そして、パワーセービング解除処理を終了する。
【００３５】
このように、パワーセービング解除処理は、使用者によるキー入力、又は傾斜センサ６０による時計本体の傾く動きで解除処理が行われる。例えば電子時計４０を装着せず所定時間放置していた状態から、時計を装着すると、傾斜センサ６０が働き、パワーセーブを解除してブルートゥースモジュールの電源がオンされ、時計表示もオンになる。そして、スマートフォンとの間で通信接続し得る状態になる。
【００３６】
以上のように、本実施形態に係る電子時計４０では、ブルートゥースモジュール４８が通電状態にあるときに、傾斜検出手段（ＣＰＵ４１、傾斜センサ６０、検出回路６１、ステップＳ１〜Ｓ５）および加速度検出手段（ＣＰＵ４１、加速度センサ６２、検出回路６３、ステップＳ７）でそれぞれ時計本体の動きが検出されなかった場合にブルートゥースモジュール４８の電源をオフにするので、スマートフォン等の携帯電話機とブルートゥースなどの近距離無線通信をする際に大きな消費電流を占めるブルートゥースモジュールの電源切断をより効率的に行うことができる電子時計を提供することができる。
【００３７】
また、加速度検出手段は、傾斜検出手段により所定期間内に時計本体の傾く動きが検出されない場合に、加速度検出手段による時計本体の加速する動きの検出を実行するようにしたので、加速度検出手段の使用を抑えることで、電子時計４０全体での節電効果を高めることができる。
【００３８】
また、電源切断手段は、ブルートゥースモジュールの電源オフと同時に、表示手段の表示をオフするので、表示手段の表示を同時に切断することができ、さらに電子時計４０全体での節電効果を高めることができる。
【００３９】
また、電源切断手段は、傾斜検出手段により所定期間内に時計本体の傾く動きが検出されなかった場合に、表示手段の表示をオフにすることもでき、さらに電子時計４０全体での節電効果を高めることができる。
【００４０】
また、加速度検出手段は加速度センサ６２を含み、加速度センサが計測状態になっていない場合に、前記加速度センサの電源をオフする加速度センサ電源制御手段４１、Ｓ６、Ｓ８、Ｓ９をさらに備えていることにより、さらに電子時計４０全体での節電効果を高めることができる。
【００４１】
さらに、傾斜検出手段は、時計の表示面の縦軸方向について時計本体の傾く動きを検出するとともに、加速度検出手段は、時計の表示面に直交する軸方向の時計本体の加速する動きを検出することにより、傾斜センサと加速度センサの構造を簡単にすることができ、コスト低減を図ることができる。
【００４２】
なお、本発明は、上記実施の形態に限られるものではなく、様々な変更が可能である。例えば、上記の実施形態では通信手段としてブルートゥースのモジュールを例示したが、例えば、WibreeやZigBee（登録商標）などの各種の省電力短距離無線通信を適用することもできるし、また、独自規格の短距離無線通信を適用することもできる。
【００４３】
また、上記の実施形態では、傾斜センサが所定期間内に時計本体の傾く動きが検出されなかった場合に、加速度センサは加速度検出を１回行う仕様としているが、例えば、加速度検出は１分や２分おきに複数回（一定周期で複数回）検出して、加速度が検出されなかった場合にブルートゥースモジュールの電源を切るように構成されても良い。また、上記の実施形態では、加速度センサ６２の検出方向は、図４、図５に示すように、傾斜センサ６０の傾斜検出方向と直交する方向のＺ軸方向としたが、これに限らず、例えば、３時−９時方向のＹ軸方向としてもよい。さらに、電子時計と近距離無線通信する外部機器として、スマートフォンを例示したが、普通の携帯電話、ＰＤＡ（Personal Data Assistant）などの電子機器であってもよい。
【００４４】
本発明のいくつかの実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
外部機器と近距離無線通信を行う電子時計において、
時刻情報等の情報を表示する表示手段と、
アンテナを介して前記外部機器と近距離無線通信を行う通信手段と、
前記電子時計本体の傾く動きを検出する傾斜検出手段と、
前記電子時計本体の加速する動きを検出する加速度検出手段と、
前記通信手段が通電状態にあるときに、前記傾斜検出手段および前記加速度検出手段でそれぞれ前記電子時計本体の動きが検出されなかった場合に前記通信手段の電源をオフにする電源切断手段と、
を備えていることを特徴とする電子時計。
＜請求項２＞
前記加速度検出手段は、
前記傾斜検出手段により所定期間内に前記電子時計本体の傾く動きが検出されない場合に、前記加速度検出手段による前記電子時計本体の加速する動きの検出を実行することを特徴とする請求項１記載の電子時計。
＜請求項３＞
前記電源切断手段は、
前記通信手段の電源をオフするとともに、前記表示手段の表示をオフすることを特徴とする請求項１記載の電子時計。
＜請求項４＞
前記電源切断手段は、
前記傾斜検出手段により所定期間内に前記電子時計本体の傾く動きが検出されなかった場合に、前記表示手段の表示をオフすることを特徴とする請求項１記載の電子時計。
＜請求項５＞
前記加速度検出手段は、
加速度センサを含み、前記加速度センサが計測状態になっていない場合に、前記加速度センサの電源をオフする加速度センサ電源制御手段をさらに備えていることを特徴とする請求項１記載の電子時計。
＜請求項６＞
前記傾斜検出手段は、前記電子時計の表示面の縦軸方向について前記電子時計本体の傾く動きを検出するとともに、前記加速度検出手段は、前記電子時計の表示面に直行する軸方向の前記電子時計本体の加速する動きを検出することを特徴とする請求項１記載の電子時計。
【符号の説明】
【００４５】
１  腕
１０  スマートフォン
２２  ブルートゥースモジュール
２７  内蔵時計
４０  電子時計
４１  ＣＰＵ（傾斜検出手段、加速度検出手段、電源切断手段、加速度センサ電源制御手段）
４２  ＲＯＭ
４３  ＲＡＭ
４４  スイッチ
４５  計時回路
４６  ＬＣＤ（液晶表示部）
４８  ブルートゥースモジュール（近距離無線モジュール）
６０  傾斜センサ（傾斜検出手段）
６１  検出回路（傾斜検出手段）
６２  加速度センサ（加速度検出手段）
６３  検出回路（加速度検出手段）
６４  電源部
６４ａ  電池
【図１】
0005454533.tif 000002
【図２】
0005454533.tif 000003
【図３】
0005454533.tif 000004
【図４】
0005454533.tif 000005
【図５】
0005454533.tif 000006
【図６】
0005454533.tif 000007
【図７】
0005454533.tif 000008